(57)【要約】【課題】項目の視認性が低下するのを抑制しながら、ユーザが項目の階層構造を十分に理解することが可能な項目選択装置を提供する。【解決手段】液晶テレビ（項目選択装置）は、メニュー画面Ｗが４つの表示領域Ｒ１〜Ｒ４に分割されるように表示部１１を制御する制御部と、表示領域Ｒ１〜Ｒ３にそれぞれ表示されたカーソルＣ１〜Ｃ３を移動させるためのカーソルボタンとを備えている。表示領域Ｒ１には、最上位の階層の分類項目ＣＩ１が表示されている。表示領域Ｒ２には、カーソルＣ１が選択している分類項目ＣＩ１の下の階層の分類項目ＣＩ２および設定項目ＳＩ２が表示されている。表示領域Ｒ３には、カーソルＣ２が選択している分類項目ＣＩ２の下の階層（最下位の階層）の設定項目ＳＩ３が表示されている。【選択図】図４
2009169891.tif 000002
【特許請求の範囲】
【請求項１】
階層的に分類された複数の項目から所定の項目を選択する項目選択装置において、
表示部の表示領域を階層数に応じて分割するとともに、分割された各表示領域に各階層毎の項目を表示するように、前記表示部を制御する制御手段と、
各階層において項目を選択するために、前記表示部の各表示領域毎に表示されたカーソルを移動させるための選択手段とを備え、
前記制御手段は、最上位の階層以外の階層において表示する項目を、１つ上の階層において前記カーソルに選択されている項目に応じて切り替えるように構成されていることを特徴とする項目選択装置。
【請求項２】
請求項１に記載の項目選択装置において、
前記選択手段により前記カーソルを移動させることが可能な前記表示部の表示領域を、１つ下の階層の項目が表示されている表示領域に切り替えるための第１切替手段をさらに備えることを特徴とする項目選択装置。
【請求項３】
請求項１または請求項２に記載の項目選択装置において、
前記表示部の各表示領域には、それぞれ、所定の値が割り当てられており、
前記所定の値を用いて、前記選択手段により前記カーソルを移動させることが可能な前記表示部の表示領域を切り替える第２切替手段をさらに備えることを特徴とする項目選択装置。
【発明の詳細な説明】
【技術分野】
【０００１】
本発明は、複数の項目から所定の項目を選択する項目選択装置に関する。
【背景技術】
【０００２】
従来、階層的に分類された複数の項目から所定の項目を選択することが可能なテレビジョン受像機および光ディスク再生装置（項目選択装置）が知られている（たとえば、特許文献１および２参照）。
【０００３】
上記特許文献１のテレビジョン受像機、および、上記特許文献２の光ディスク再生装置では、所定の階層に属する項目群と、所定の階層に属する項目群のうち、カーソルにより選択された項目の１つ下の階層に属する項目群とが表示部に表示されている。これにより、テレビジョン受像機および光ディスク再生装置では、ユーザが、１つ下の階層に属する項目群を確認しながら、所定の階層に属する項目群の中から項目を選択することが可能である。したがって、テレビジョン受像機および光ディスク再生装置では、ユーザが、項目の階層構造を理解し易いので、誤操作するのを抑制することが可能である。
【０００４】
しかしながら、上記特許文献１のテレビジョン受像機、および、上記特許文献２の光ディスク再生装置では、項目が３階層以上に分類されている場合において、ユーザが最上位の階層の項目群の中から項目を選択する際に、３階層目以下の階層に属する項目群が表示されないという不都合があった。すなわち、このテレビジョン受像機および光ディスク再生装置では、ユーザが、項目の階層構造を十分に理解するのが困難な場合があるので、誤操作するのを十分に抑制するのが困難であるという不都合があった。
【０００５】
そこで、従来では、上記のような不都合を解消するために、全ての項目が表示部に表示されるテレビジョン受像機が提案されている（たとえば、特許文献３参照）。
【０００６】
上記特許文献３に開示されたテレビジョン受像機では、各項目に番号が割り当てられており、ユーザが、その番号を入力することにより、所定の項目を選択することが可能である。
【０００７】
【特許文献１】特開平８−２７５０７６号公報
【特許文献２】特開平１０−２００８４６号公報
【特許文献３】特開２００７−１２４２７０号公報
【発明の開示】
【発明が解決しようとする課題】
【０００８】
しかしながら、上記特許文献３で提案されたテレビジョン受像機（項目選択装置）では、全ての項目が表示部に表示されているので、表示部に表示される項目数が多くなり、各項目の視認性が低下するという問題点がある。
【０００９】
本発明は、上述した課題を解決するものであって、その目的とするところは、項目の視認性が低下するのを抑制しながら、ユーザが項目の階層構造を十分に理解することが可能な項目選択装置を提供することである。
【課題を解決するための手段】
【００１０】
本発明の項目選択装置は、階層的に分類された複数の項目から所定の項目を選択する項目選択装置において、表示部の表示領域を階層数に応じて分割するとともに、分割された各表示領域に各階層毎の項目を表示するように、表示部を制御する制御手段と、各階層において項目を選択するために、表示部の各表示領域毎に表示されたカーソルを移動させるための選択手段とを備え、制御手段は、最上位の階層以外の階層において表示する項目を、１つ上の階層においてカーソルに選択されている項目に応じて切り替えるように構成されている。
【００１１】
このように構成することによって、各表示領域に各階層毎の項目を表示することにより、最上位の階層に属する項目から最下位の階層に属する項目までを表示部に表示することができるので、ユーザが項目の階層構造を十分に理解することができる。また、最上位の階層以外の階層において表示する項目を、１つ上の階層においてカーソルに選択されている項目に応じて切り替えることにより、全ての項目を表示部に表示する場合に比べて、表示部に表示される項目の数を少なくすることができる。これにより、各項目の視認性が低下するのを抑制することができる。
【００１２】
上記項目選択装置において、選択手段によりカーソルを移動させることが可能な表示部の表示領域を、１つ下の階層の項目が表示されている表示領域に切り替えるための第１切替手段をさらに備えていてもよい。
【００１３】
このように構成することによって、ユーザは、選択手段を用いて各項目の下の階層の項目を確認しながら、第１切替手段を用いてカーソルを移動させることが可能な表示領域を切り替えることができるので、項目の階層構造を確認しながら、複数の項目の中から所定の項目を選択することができる。
【００１４】
上記項目選択装置において、表示部の各表示領域には、それぞれ、所定の値が割り当てられており、所定の値を用いて、選択手段によりカーソルを移動させることが可能な表示部の表示領域を切り替える第２切替手段をさらに備えていてもよい。
【００１５】
このように構成することによって、ユーザは、第２切替手段を用いることにより、選択手段によりカーソルを移動させることが可能な表示部の表示領域を所望の表示領域に切り替えることができるので、容易に、複数の項目の中から所定の項目を選択することができる。
【発明の効果】
【００１６】
本発明によれば、項目の視認性が低下するのを抑制しながら、ユーザが項目の階層構造を十分に理解することが可能な項目選択装置を提供することができる。
【発明を実施するための最良の形態】
【００１７】
以下、本発明の実施形態につき、図面を参照しながら説明する。なお、本実施形態では、項目選択装置の一例である液晶テレビジョン受像機（以下、単に「液晶テレビ」という）に本発明を適用した場合について説明する。
【００１８】
図１は、本発明の一実施形態による液晶テレビの全体構成を示した斜視図である。図２は、図１に示した液晶テレビの構成を示したブロック図であり、図３は、図１に示した液晶テレビのリモコンの平面図である。図４は、液晶テレビの表示部を示した図である。まず、図１〜図４を参照して、本実施形態による液晶テレビ１００の構成について説明する。
【００１９】
本発明の一実施形態による液晶テレビ１００は、図１に示すように、テレビジョン放送を受信して表示するテレビ本体１０と、テレビ本体１０を遠隔操作するリモコン２０とを備えている。
【００２０】
テレビ本体１０は、図２に示すように、液晶パネルからなる表示部１１と、リモコン２０から出力される信号（たとえば、赤外線信号）を受信する受信部１２と、テレビ本体１０の設定情報を記憶する記憶部１３と、テレビ本体１０の動作を制御する制御部１４とを含んでいる。なお、制御部１４は、本発明の「制御手段」の一例である。
【００２１】
リモコン２０は、ユーザがテレビ本体１０を操作するための操作ボタン２１と、信号を出力する発信部２２と、リモコン２０の動作を制御する制御部２３とを含んでいる。
【００２２】
操作ボタン２１は、図３に示すように、リモコン２０の上面に設けられるとともに、電源ボタン２１ａと、メニューボタン２１ｂと、音量調整ボタン２１ｃと、カーソルボタン２１ｄと、決定ボタン２１ｅと、取消ボタン２１ｆと、数字ボタン２１ｇとを有する。なお、カーソルボタン２１ｄは、本発明の「選択手段」の一例であり、決定ボタン２１ｅおよび数字ボタン２１ｇは、それぞれ、本発明の「第１切替手段」および「第２切替手段」の一例である。
【００２３】
電源ボタン２１ａは、テレビ本体１０の電源をオン状態またはオフ状態に切り替えるために設けられている。メニューボタン２１ｂは、テレビ本体１０の各種設定を行うために設けられている。音量調整ボタン２１ｃは、テレビ本体１０の音量を調整するために設けられている。数字ボタン２１ｇは、テレビ本体１０のチャンネルを切り替えるために設けられている。
【００２４】
発信部２２は、リモコン２０の前端部に設けられている。制御部２３（図２参照）は、操作ボタン２１が押された場合に、押された操作ボタン２１に応じた信号を出力するように、発信部２２を制御する機能を有する。
【００２５】
ここで、本実施形態では、液晶テレビ１００は、テレビ本体１０の各種設定を行うための項目が最大で３つの階層に分類されている。また、液晶テレビ１００は、メニューボタン２１ｂが押された場合に、図４に示すようなメニュー画面Ｗを表示部１１に表示するように構成されている。このメニュー画面Ｗは、４つの表示領域Ｒ１〜Ｒ４に分割されている。
【００２６】
表示領域Ｒ１には、最上位の階層（第１階層）に属する複数の分類項目ＣＩ１（図４では、「本体設定」、「地域設定」、「チャンネル設定」および「電話設定」）が表示されている。表示領域Ｒ２には、表示領域Ｒ１においてカーソルＣ１が選択している分類項目ＣＩ１（図４では、「本体設定」）の１つ下の階層（第２階層）に属する複数の分類項目ＣＩ２（図４では、「画質設定」および「音声設定」）および設定項目ＳＩ２（図４では、「高速起動」および「バックライト」）が表示されている。この分類項目ＣＩ２および設定項目ＳＩ２の内容は、表示領域Ｒ１においてカーソルＣ１が選択している分類項目ＣＩ１の内容に応じて切り替えられる。
【００２７】
表示領域Ｒ３には、表示領域Ｒ２においてカーソルＣ２が選択している分類項目ＣＩ２（図４では、「画質設定」）の１つ下の最下位の階層（第３階層）に属する複数の設定項目ＳＩ３（図４では、「明るさ」、「コントラスト」、「色の濃さ」および「色合い」）が表示されている。この設定項目ＳＩ３の内容は、表示領域Ｒ２においてカーソルＣ２が選択している分類項目ＣＩ２の内容に応じて切り替えられる。表示領域Ｒ４には、表示領域Ｒ３においてカーソルＣ３が選択している設定項目ＳＩ３（図４では、「明るさ」）の設定画面が表示されている。この設定画面の内容は、表示領域Ｒ３においてカーソルＣ３が選択している設定項目ＳＩ３の内容に応じて切り替えられる。また、表示領域Ｒ１〜Ｒ４には、それぞれ、所定の値（本実施形態では、「１」〜「４」）が割り当てられている。
【００２８】
また、メニュー画面Ｗには、アクティブな表示領域（図４では、表示領域Ｒ１）を示すカーソルＣ４が表示されている。液晶テレビ１００は、ユーザがカーソルボタン２１ｄ（図３参照）を用いて、アクティブな表示領域（図４では、表示領域Ｒ１）のカーソル（図４では、カーソルＣ１）を移動させることが可能なように構成されている。
【００２９】
また、液晶テレビ１００は、ユーザが決定ボタン２１ｅ、取消ボタン２１ｆおよび数字ボタン２１ｇ（図３参照）を用いて、アクティブな表示領域（図４では、表示領域Ｒ１）を変更させることが可能なように構成されている。具体的には、液晶テレビ１００は、ユーザが決定ボタン２１ｅを用いて、アクティブな表示領域を１つ下の表示領域に変更させることが可能なように構成されている。また、液晶テレビ１００は、ユーザが取消ボタン２１ｆを用いて、アクティブな表示領域を１つ上の表示領域に変更させることが可能なように構成されている。また、液晶テレビ１００は、ユーザが数字ボタン２１ｇを用いて「１」〜「４」のいずれかの値を入力した場合に、アクティブな表示領域を入力された値と対応する表示領域に変更させることが可能なように構成されている。
【００３０】
図５は、本発明の一実施形態による液晶テレビの項目選択動作を説明するためのフローチャートである。図６〜図９は、液晶テレビの表示部を示した図である。次に、図２および図４〜図９を参照して、本実施形態による液晶テレビ１００の項目選択動作について説明する。
【００３１】
まず、液晶テレビ１００（図２参照）では、図５のステップＳ１において、制御部１４（図２参照）により、メニューボタン２１ｂ（図２参照）が押されたか否かを判断する。具体的には、受信部１２（図２参照）により、リモコン２０の発信部２２（図２参照）から出力されるメニューボタン２１ｂが押されたことを示す信号を受信したか否かを判断する。そして、制御部１４により、メニューボタン２１ｂが押されたと判断した場合には、ステップＳ２に移る。その一方、制御部１４により、メニューボタン２１ｂが押されていないと判断した場合には、ステップＳ１を繰り返し行う。
【００３２】
次に、ステップＳ２において、制御部１４により、表示部１１（図４参照）に図４のようなメニュー画面Ｗを表示する。なお、図４の状態では、カーソルＣ４により表示領域Ｒ１が選択されているので、表示領域Ｒ１がアクティブな状態である。
【００３３】
次に、ステップＳ３において、制御部１４により、カーソルボタン２１ｄ（図２参照）が押されたか否かを判断する。具体的には、受信部１２により、リモコン２０の発信部２２から出力されるカーソルボタン２１ｄが押されたことを示す信号を受信したか否かを判断する。そして、制御部１４により、カーソルボタン２１ｄが押されたと判断した場合には、ステップＳ４に移る。その一方、制御部１４により、カーソルボタン２１ｄが押されていないと判断した場合には、ステップＳ６に移る。
【００３４】
次に、ステップＳ４において、制御部１４により、アクティブな表示領域のカーソルを移動させる。具体的には、表示領域Ｒ１がアクティブな状態のときに、ステップＳ３において、制御部１４により下方向のカーソルボタン２１ｄが押されたと判断した場合には、図４のように分類項目ＣＩ１（「本体設定」）を選択しているカーソルＣ１が、図６のように分類項目ＣＩ１（「地域設定」）を選択するように下方向に移動する。なお、ステップＳ３において、制御部１４により上方向のカーソルボタン２１ｄが押されたと判断した場合には、アクティブな表示領域のカーソルが上方向に移動する。
【００３５】
次に、ステップＳ５において、制御部１４により、メニュー画面Ｗの表示を更新する。具体的には、図６のように分類項目ＣＩ１（「地域設定」）を選択するようにカーソルＣ１が移動した場合には、表示領域Ｒ２に、表示領域Ｒ１においてカーソルＣ１が選択している分類項目ＣＩ１（「地域設定」）の１つ下の階層に属する設定項目ＳＩ２（「都道府県」および「郵便番号」）を表示する。また、表示領域Ｒ３に、表示領域Ｒ２においてカーソルＣ２が選択している設定項目ＳＩ２（「都道府県」）の設定画面を表示する。
【００３６】
次に、ステップＳ６において、制御部１４により、決定ボタン２１ｅ、取消ボタン２１ｆまたは数字ボタン２１ｇ（図２参照）が押されたか否かを判断する。具体的には、受信部１２により、リモコン２０の発信部２２から出力される決定ボタン２１ｅが押されたことを示す信号、リモコン２０の発信部２２から出力される取消ボタン２１ｆが押されたことを示す信号、または、リモコン２０の発信部２２から出力される数字ボタン２１ｇが押されたことを示す信号を受信したか否かを判断する。そして、制御部１４により、決定ボタン２１ｅ、取消ボタン２１ｆまたは数字ボタン２１ｇが押されたと判断した場合には、ステップＳ７に移る。その一方、制御部１４により、決定ボタン２１ｅ、取消ボタン２１ｆおよび数字ボタン２１ｇが押されていないと判断した場合には、ステップＳ８に移る。
【００３７】
次に、ステップＳ７において、制御部１４により、アクティブな表示領域を変更させる。具体的には、図４のように表示領域Ｒ１がアクティブな状態のときに、ステップＳ６において、制御部１４により決定ボタン２１ｅが押されたと判断した場合には、図７のように表示領域Ｒ２をアクティブな状態にする。また、図７のように表示領域Ｒ２がアクティブな状態のときに、ステップＳ６において、制御部１４により取消ボタン２１ｆが押されたと判断した場合には、図４のように表示領域Ｒ１をアクティブな状態にする。
【００３８】
また、図４のように表示領域Ｒ１がアクティブな状態、または、図７のように表示領域Ｒ２がアクティブな状態のときに、ステップＳ６において、制御部１４により数字ボタン２１ｇの「４」が押されたと判断した場合には、図８のように「４」に対応する表示領域Ｒ４をアクティブな状態にする。なお、図８のように表示領域Ｒ４がアクティブな状態のときに、ステップＳ６において、制御部１４により、数字ボタン２１ｇの「１」が押されたと判断した場合には、図４のように「１」に対応する表示領域Ｒ１をアクティブな状態にするとともに、数字ボタン２１ｇの「２」が押されたと判断した場合には、図７のように「２」に対応する表示領域Ｒ２をアクティブな状態にする。
【００３９】
次に、ステップＳ８において、制御部１４により、設定画面が表示された表示領域がアクティブか否かを判断する。そして、制御部１４により、設定画面が表示された表示領域がアクティブであると判断された場合には、ステップＳ９に移る。具体的には、図８のように設定項目ＳＩ３（「明るさ」）の設定画面が表示された表示領域Ｒ４がアクティブな状態の場合に、ステップＳ９に移る。その一方、制御部１４により、設定画面が表示された表示領域がアクティブでないと判断された場合には、ステップＳ１２に移る。具体的には、図４および図６のように設定画面ではない表示領域Ｒ１がアクティブな状態の場合、および、図７のように設定画面ではない表示領域Ｒ２がアクティブな状態の場合に、ステップＳ１２に移る。
【００４０】
次に、ステップＳ９において、制御部１４により、カーソルボタン２１ｄが押されたか否かを判断する。そして、制御部１４により、カーソルボタン２１ｄが押されたと判断した場合には、ステップＳ１０に移る。その一方、制御部１４により、カーソルボタン２１ｄが押されていないと判断した場合には、ステップＳ１１に移る。
【００４１】
次に、ステップＳ１０において、制御部１４により、設定項目の設定情報を変更する。具体的には、図８のように設定項目ＳＩ３（「明るさ」）の設定画面が表示された表示領域Ｒ４がアクティブな状態のときに、ステップＳ９において、制御部１４により上方向のカーソルボタン２１ｄが押されたと判断した場合には、図９のように設定項目ＳＩ３（「明るさ」）の値を上昇させる。なお、ステップＳ９において、制御部１４により下方向のカーソルボタン２１ｄが押されたと判断した場合には、設定項目ＳＩ３（「明るさ」）の値を下降させる。そして、設定項目ＳＩ３（「明るさ」）の値を記憶部１３（図２参照）に記憶する。その後、ステップＳ１１に移る。
【００４２】
次に、ステップＳ１１において、制御部１４により、メニューボタン２１ｂが押されたか否かを判断する。そして、制御部１４により、メニューボタン２１ｂが押されたと判断した場合には、ステップＳ１３に移る。その一方、制御部１４により、メニューボタン２１ｂが押されていないと判断した場合には、ステップＳ６に戻る。
【００４３】
また、ステップＳ１２において、制御部１４により、メニューボタン２１ｂが押されたか否かを判断する。そして、制御部１４により、メニューボタン２１ｂが押されたと判断した場合には、ステップＳ１３に移る。その一方、制御部１４により、メニューボタン２１ｂが押されていないと判断した場合には、ステップＳ３に戻る。
【００４４】
そして、ステップＳ１３において、制御部１４により、メニュー画面Ｗの表示を終了する。
【００４５】
本実施形態では、上記のように、表示領域Ｒ１に第１階層（最上位の階層）の分類項目ＣＩ１を表示するとともに、表示領域Ｒ２に第２階層の分類項目ＣＩ２および設定項目ＳＩ２を表示し、かつ、表示領域Ｒ３に第３階層（最下位の階層）の設定項目ＳＩ３を表示することによって、最上位の階層の分類項目ＣＩ１から最下位の階層の設定項目ＳＩ３までをメニュー画面Ｗに一度に表示することができるので、ユーザが項目の階層構造を十分に理解することができる。また、表示領域Ｒ２に表示する分類項目ＣＩ２および設定項目ＳＩ２を、表示領域Ｒ１においてカーソルＣ１が選択している分類項目ＣＩ１に応じて切り替えるとともに、表示領域Ｒ３に表示する設定項目ＳＩ３を、表示領域Ｒ２においてカーソルＣ２が選択している分類項目ＣＩ２に応じて切り替えることによって、全ての項目を表示部に表示する場合に比べて、メニュー画面Ｗに表示される項目の数を少なくすることができる。これにより、各項目の視認性が低下するのを抑制することができる。したがって、本実施形態による液晶テレビ１００では、項目の視認性が低下するのを抑制しながら、ユーザが項目の階層構造を十分に理解することができる。その結果、ユーザが項目を選択する際に誤操作するのを十分に抑制することができる。すなわち、液晶テレビ１００の操作性を向上させることができる。
【００４６】
また、本実施形態では、アクティブな表示領域を１つ下の表示領域に切り替えるための決定ボタン２１ｅを設けることによって、ユーザは、カーソルボタン２１ｄを用いて各項目の下の階層の項目を確認しながら、決定ボタン２１ｅを用いてアクティブな表示領域を変更することができるので、項目の階層構造を確認しながら、複数の項目の中から所定の項目を選択することができる。
【００４７】
また、本実施形態では、表示領域Ｒ１〜Ｒ４に、それぞれ、所定の値（本実施形態では、「１」〜「４」）を割り当てるとともに、アクティブな表示領域を入力された値と対応する表示領域に切り替えるための数字ボタン２１ｇを設けることによって、ユーザは、数字ボタン２１ｇを用いることにより、アクティブな表示領域を所望の表示領域に切り替えることができるので、容易に、複数の項目の中から所定の項目を選択することができる。
【００４８】
また、本実施形態では、表示領域Ｒ４に、表示領域Ｒ３においてカーソルＣ３が選択している設定項目ＳＩ３（図４では、「明るさ」）の設定画面を表示することによって、表示領域Ｒ４をアクティブな状態にすることにより、設定項目ＳＩ３を直接選択して、設定情報を変更することができる。
【００４９】
本発明は、上述した以外にも種々の実施形態を採用することができる。例えば、上記実施形態では、項目選択装置の一例として液晶テレビ１００を示したが、記録再生装置などのその他の項目選択装置に本発明を適用してもよい。
【００５０】
また、上記実施形態では、各種設定を行うための項目が最大で３つの階層に分類されている例を示したが、各種設定を行うための項目が最大で４つ以上の階層に分類されていてもよい。この場合、最上位の階層に属する項目から最下位の階層に属する項目までを表示可能なように、メニュー画面Ｗを５つ以上の表示領域に分割するのが好ましい。
【００５１】
また、上記実施形態では、メニュー画面Ｗを４つの表示領域Ｒ１〜Ｒ４に分割する例を示したが、メニュー画面Ｗを３つの表示領域に分割するとともに、各表示領域に、それぞれ、第１階層の分類項目ＣＩ１、第２階層の分類項目ＣＩ２および設定項目ＳＩ２、第３階層の設定項目ＳＩ３を表示するようにしてもよい。すなわち、図４において、表示領域Ｒ３においてカーソルＣ３が選択している設定項目ＳＩ３（「明るさ」）の設定画面が表示されている表示領域Ｒ４を表示しなくてもよい。
【００５２】
また、上記実施形態では、メニュー画面Ｗを常に４つの表示領域Ｒ１〜Ｒ４に分割する例を示したが、たとえば、図６に示すように、第２階層に属する設定項目ＳＩ２が選択されている場合には、表示領域Ｒ４を表示させることなく、メニュー画面Ｗを３つの表示領域に分割してもよい。
【００５３】
また、上記実施形態では、第１階層に複数の分類項目ＣＩ１が属する例を示したが、第１階層に分類項目および設定項目が属するようにしてもよい。また、第２階層に分類項目ＣＩ２および設定項目ＳＩ２が属する例を示したが、第２階層に分類項目のみが属するようにしてもよい。
【００５４】
また、上記実施形態では、カーソルボタン２１ｄにより、アクティブな表示領域（図４では、表示領域Ｒ１）のカーソル（図４では、カーソルＣ１）を移動させる例を示したが、アクティブな表示領域の項目に所定の値を割り当てて、数字ボタン２１ｇにより、アクティブな表示領域のカーソルを移動させてもよい。
【００５５】
また、上記実施形態では、決定ボタン２１ｅ、取消ボタン２１ｆおよび数字ボタン２１ｇにより、アクティブな表示領域（図４では、表示領域Ｒ１）を変更させる例を示したが、カーソルボタン２１ｄにより、アクティブな表示領域を変更させてもよい。
【００５６】
また、上記実施形態では、カーソルボタン２１ｄにより、設定情報を変更する例を示したが、数字ボタン２１ｇにより、設定情報を変更するようにしてもよい。
【００５７】
また、上記実施形態では、メニューボタン２１ｂが押された場合に、表示領域Ｒ１においてカーソルＣ１が分類項目ＣＩ１（「本体設定」）を選択する例を示したが、メニューボタン２１ｂが押された場合に、表示領域Ｒ１においてカーソルＣ１がその他の分類項目ＣＩ１（たとえば、「地域設定」）を選択するようにしてもよい。また、メニューボタン２１ｂが押された場合に、ユーザの操作履歴に応じて、表示領域Ｒ１においてカーソルＣ１が選択する分類項目ＣＩ１を変更するようにしてもよい。なお、表示領域Ｒ２のカーソルＣ２および表示領域Ｒ３のカーソルＣ３についても同様である。
【００５８】
また、上記実施形態では、カーソルＣ４を用いてアクティブな表示領域を示したが、カーソルＣ４を用いることなく、アクティブな表示領域を背景色により示してもよい。
【図面の簡単な説明】
【００５９】
【図１】本発明の一実施形態による液晶テレビの全体構成を示した斜視図である。
【図２】図１に示した液晶テレビの構成を示したブロック図である。
【図３】図１に示した液晶テレビのリモコンの平面図である。
【図４】液晶テレビの表示部を示した図である。
【図５】本発明の一実施形態による液晶テレビの項目選択動作を説明するためのフローチャートである。
【図６】液晶テレビの表示部を示した図である。
【図７】液晶テレビの表示部を示した図である。
【図８】液晶テレビの表示部を示した図である。
【図９】液晶テレビの表示部を示した図である。
【符号の説明】
【００６０】
１１      表示部
１４      制御部（制御手段）
２１ｄ    カーソルボタン（選択手段）
２１ｅ    決定ボタン（第１切替手段）
２１ｇ    数字ボタン（第２切替手段）
１００    液晶テレビ（項目選択装置）
【図１】
2009169891.tif 000003
【図２】
2009169891.tif 000004
【図３】
2009169891.tif 000005
【図４】
2009169891.tif 000006
【図５】
2009169891.tif 000007
【図６】
2009169891.tif 000008
【図７】
2009169891.tif 000009
【図８】
2009169891.tif 000010
【図９】
2009169891.tif 000011